(57)【特許請求の範囲】
【請求項１】
多数のピンチを支持するフレームを吊下紐を介してフック台に連結し、該フック台にフックを水平方向に回動自在に取り付けてなる物干し器において、
フックの下端に取り付けた係止杆と略円柱状の抜け止め具とフック台とよりなり、
係止杆の下端には突出部を左右両方向に水平に備えさせ、
抜け止め具には係止杆の両突出部に対応する形状を備え且つ該抜け止め具を上下方向に貫く貫通透孔を形成すると共に係止杆の両突出部に対応する形状を備えた係止溝を該貫通透孔と略直角方向に該抜け止め具の底部に形成し、
フック台には該フック台を上下方向に貫く挿通孔を形成し、該挿通孔は上部を係止杆の両突出部を通過させ得る大きさの小径部とすると共に下部を抜け止め具に対応する大径部とし、該挿通孔における小径部と大径部との間に略直角の段部を設け、
抜け止め具を下方よりフック台の挿通孔における大径部に挿入し、係止杆下端の両突出部を上方よりフック台の挿通孔における小径部を通して抜け止め具における貫通透孔に貫通させると共に該係止杆と抜け止め具とを相対的に水平方向に略９０度回動させることにより係止杆下端の両突出部を抜け止め具における係止溝に嵌着するようにしたことを特徴とする物干し器におけるフックの取付手段。
【発明の詳細な説明】
【０００１】
【発明の属する技術分野】
本発明は、洗濯物等を吊すようにした物干し器におけるフックをフック台に取り付ける取付手段（取付装置）に関するものであり、更に詳しくは、多数のピンチ（洗濯挟み）を支持するフレームを吊下紐を介してフック台に連結し、該フック台にフックを水平方向に回動自在に取り付けてなる物干し器において、フックをフック台に取り付ける取付手段に係るものである。特許請求の範囲を含む本明細書において「吊下紐」とは、フレームをフック台に連結する紐状体をいうものとし、吊下紐には例えば被覆鉄線、チェーン等が含まれる。
【０００２】
【従来の技術】
フックをフック台に取り付ける取付手段としては、図１１、図１２に示すもの及び図１４、図１５に示すものが既に使用されている。
【０００３】
図１１、図１２に示す取付手段は、フック台１の中央部に該フック台１を上下方向に貫く円筒状部３を形成し、該円筒状部３の上縁より下方に向けて弾性変形し得る係止舌片５、５・・・を突設し、各係止舌片５は下方に向かって円筒状部３の中心に近づくように傾斜させ、一方、フック（図示せず）の下端には係止杆７を取り付け、該係止杆７の下端には相対向する係止舌片５、５下端間の間隔よりも大径の膨出部９を備えさせ、係止杆７下端の膨出部９をフック台１の上方より円筒状部３内に係止舌片５、５・・・の下方まで挿入し、該膨出部９を各係止舌片５の下端に回動自在に係止させるようにしてなるものである。係止杆７下端の膨出部９をこのように円筒状部３内に挿入するときには、係止舌片５、５・・・の下端は該膨出部９により外方に押し広げられるが、膨出部９が係止舌片５、５・・・の下端を通過すると、係止舌片５、５・・・の下端は弾性により元の位置に復帰する。符号１０に示すものは吊下紐である。
【０００４】
図１４、図１５に示す取付手段は、フック台１１の中央部に該フック台１１を上下方向に貫く円形透孔１３を形成し、一方、フック（図示せず）の下端には係止杆１５を取り付け、該係止杆１５の下端には円形透孔１３よりも大径の膨出部１７を備えさせると共に該膨出部１７を含む係止杆１５の下端に下方より切り欠き１９を形成することにより該膨出部１７が弾性変形し得るようになし、係止杆１５下端の膨出部１７をフック台１の上方より円形透孔１３の下方まで挿入し、該膨出部１７を円形透孔１３に回動自在に係止させるようにしてなるものである。係止杆１５下端の膨出部１７をフック台１の上方より円形透孔１３の下方まで挿入するときには、該膨出部１７は円形透孔１３により内方に押し縮められるが、円形透孔１３を通過すると弾性により元の状態に復帰する。符号１０に示すものは吊下紐である。
【０００５】
【発明が解決しようとする課題】
しかるに、上記従来の取付手段においては、下記の如き問題がある。
【０００６】
［図１１、図１２に示す取付手段］
物干し器の使用時に、物干し器のフレームがフックに対して回動する際には各係止舌片５の下端が係止杆７の膨出部９に対して回動する。ところで、係止杆７の膨出部９と各係止舌片５の下端には濡れた重い洗濯物の全重量が掛かるため、各係止舌片５の下端は係止杆７の膨出部９に圧接した状態で回動することになる。従って、図１３に示すように、係止杆７の膨出部９における係止舌片接触部９ａと係止舌片５における膨出部接触部５ａがやがてテーパ状に削り取られる。しかして、各係止舌片５は、物干し器の組立時に係止杆７の膨出部９を上方より係止舌片５、５間に挿入し得るようにするために、弾性変形により容易に外方に曲るように形成されている。その結果、係止杆７の膨出部９における係止舌片接触部９ａと係止舌片５における膨出部接触部５ａがテーパ状に削り取られたときには、係止杆７の膨出部９が各係止舌片５の下端から外れ、物干し器のフレームが落下することが往々にしてある。
【０００７】
［図１４、図１５に示す取付手段］
物干し器の使用時に、物干し器のフレームがフックに対して回動する際にはフック台１１の円形透孔１３が係止杆１５の膨出部１７に対して回動する。ところで、係止杆１５の膨出部１７とフック台１１における円形透孔１３の周縁部には濡れた重い洗濯物の全重量が掛かるため、フック台１１における円形透孔１３の周縁部は係止杆１５の膨出部１７に圧接した状態で回動することになる。従って、図１６に示すように、係止杆１５の膨出部１７における円形透孔周縁接触部１７ａと円形透孔１３の周縁部における膨出部接触部１３ａがやがてテーパ状に削り取られる。しかして、係止杆１５は、物干し器の組立時に係止杆１５の膨出部１７を上方より円形透孔１３内に挿入し得るようにするために、切り欠き１９を形成することにより該膨出部１７が容易に内方に弾性変形し得るように構成されている。その結果、係止杆１５の膨出部１７における円形透孔周縁接触部１７ａと円形透孔１３の周縁部における膨出部接触部１３ａがテーパ状に削り取られたときには、係止杆１５の膨出部１７がフック台１１の円形透孔１３から外れ、物干し器のフレームが落下することが往々にしてある。
【０００８】
本発明は、上記従来の取付手段における上述の如き問題を解決しようとしてなされたものである。
【０００９】
【課題を解決するための手段】
上述の如く、フック台がフックから離脱し、物干し器のフレームが落下するのは、物干し器の組立時にフック下端に取り付けた係止杆の膨出部をフック台の係止手段（係止舌片５、５・・・間又は円形透孔１３）に上方から挿入し得るようにするために、フック台の係止手段又は係止杆の膨出部が弾性変形するように形成されているためであることに想到した。そこで、本発明は、フックの下端に取り付けた係止杆の膨出部をフック台の係止手段に嵌める際に係止杆側又はフック台側の弾性変形を利用しないようにすることにより上記課題を解決するものである。
即ち、本発明は、下記の物干し器におけるフックの取付手段を提供する。
【００１０】
多数のピンチを支持するフレームを吊下紐を介してフック台に連結し、該フック台にフックを水平方向に回動自在に取り付けてなる物干し器において、
フックの下端に取り付けた係止杆と略円柱状の抜け止め具とフック台とよりなり、
係止杆の下端には突出部を左右両方向に水平に備えさせ、
抜け止め具には係止杆の両突出部に対応する形状を備え且つ該抜け止め具を上下方向に貫く貫通透孔を形成すると共に係止杆の両突出部に対応する形状を備えた係止溝を該貫通透孔と略直角方向に該抜け止め具の底部に形成し、
フック台には該フック台を上下方向に貫く挿通孔を形成し、該挿通孔は上部を係止杆の両突出部を通過させ得る大きさの小径部とすると共に下部を抜け止め具に対応する大径部とし、該挿通孔における小径部と大径部との間に略直角の段部を設け、
抜け止め具を下方よりフック台の挿通孔における大径部に挿入し、係止杆下端の両突出部を上方よりフック台の挿通孔における小径部を通して抜け止め具における貫通透孔に貫通させると共に該係止杆と抜け止め具とを相対的に水平方向に略９０度回動させることにより係止杆下端の両突出部を抜け止め具における係止溝に嵌着するようにしたことを特徴とする物干し器におけるフックの取付手段（請求項１）。
【００１１】
【作用】
本発明の物干し器におけるフックの取付手段は、フックの下端に取り付けた係止杆と略円柱状の抜け止め具とフック台とよりなるものであるが、これらのものは変形させることなく組立られる。従って、これらのものを変形し難い材料で堅固に形成することが可能となる。
フックの取付手段においては、フック台の挿通孔における大径部に挿入された抜け止め具とフック台とが相対的に回動する。抜け止め具は略円柱状をなし、フック台の挿通孔における段部は略直角に形成されているため、抜け止め具と挿通孔の段部は面で接触する。従って、抜け止め具と挿通孔の段部は摩耗し難い。抜け止め具と挿通孔の段部がやがて摩耗したときでも、抜け止め具とフック台とを変形し難い材料で堅固に形成すれば、抜け止め具がフック台から抜け出すおそれはない。
係止杆下端の両突出部は抜け止め具における係止溝に嵌着されており、係止杆は抜け止め具に対し水平方向に回動不能である。
【００１２】
【発明の実施の形態】
次に、本発明の実施の形態を添付図面に従って説明する。
まず、本発明が適用される物干し器の一例について図１を参照して説明する。符号２１に示すものは物干し器のフレームである。フレーム２１には多数のピンチ２３、２３・・・が取り付けられる。フレーム２１は中央のヒンジ２５により下方に折り畳み自在である。フレーム２１は吊下紐２７、２７を介してフック台３１に連結され、該フック台３１にフック３３が水平方向に回動自在に取り付けられる。
【００１３】
次に本発明によるフックの取付手段について説明する。
本発明によるフックの取付手段は、フック３３の下端に取り付けた係止杆３５と略円柱状の抜け止め具３７とフック台３１とよりなる。係止杆３５と抜け止め具３７とフック台３１はそれぞれ一例として変形し難いポリプロピレンにより堅固に形成する。
【００１４】
係止杆３５の下端には突出部４１、４１を左右両方向に水平に備えさせる。図示の事例における突出部４１、４１は略円柱状体である。係止杆３５は一例としてフック３３の下端に該フック３３と一体的に形成された取付部４３に取り付けられる。即ち、図３、図９、図１０に示すように、係止杆３５の上部における両側部には略逆Ｕ字状の凹部４５、４５を形成し、取付部４３には該凹部４５、４５に対応する一対の係止突起４７、４７を相対向させて突設し、これらの係止突起４７、４７を係止杆３５の凹部４５、４５に係止させるのである。この事例においては、フック３３は取付部４３の係止突起４７、４７を回動中心として係止杆３５に対して回動自在である。
【００１５】
抜け止め具３７には係止杆３５の両突出部４１、４１に対応する形状を備え且つ該抜け止め具３７を上下方向に貫く貫通透孔５１を形成すると共に係止杆３５の両突出部４１、４１に対応する形状を備えた係止溝５３を該貫通透孔５１と略直角方向に該抜け止め具３７の底部に形成する。
【００１６】
フック台３１には該フック台３１を上下方向に貫く挿通孔６１を形成し、該挿通孔６１は上部を係止杆３５の両突出部４１、４１を通過させ得る大きさの小径部６３とすると共に下部を抜け止め具３７に対応する大径部６５とし、該挿通孔６１における小径部６３と大径部６５との間に略直角の段部６７を設ける。符号６９に示すものはフック台３１に形成した吊下紐２７の挿通孔である。
【００１７】
係止杆３５と抜け止め具３７とフック台３１とを組み立てる際には次のようになす。即ち、抜け止め具３７を下方よりフック台３１の挿通孔６１における大径部６５に挿入し、係止３５杆下端の両突出部４１、４１を上方よりフック台３１の挿通孔６１における小径部６３を通して抜け止め具３７における貫通透孔５１に貫通させると共に該係止杆３５と抜け止め具３７とを相対的に水平方向に略９０度回動させることにより係止杆３５下端の両突出部４１、４１を抜け止め具３７における係止溝５３に嵌着する。
【００１８】
【発明の効果】
以上説明したように、本発明の物干し器におけるフックの取付手段は、フックの下端に取り付けた係止杆と略円柱状の抜け止め具とフック台とよりなるものであるが、これらのものは変形させることなく組立られる。従って、これらのものを変形し難い材料で堅固に形成することが可能となる。特に、抜け止め具とフック台とを変形し難い材料で堅固に形成すれば、抜け止め具と挿通孔の段部が摩耗したときでも、抜け止め具がフック台から抜け出すおそれはない。
【図面の簡単な説明】
【図１】本発明によるフックの取付手段を使用した物干し器の一例を示す正面図である。
【図２】本発明によるフックの取付手段を示す断面図である。
【図３】本発明によるフックの取付手段を分解して示す断面図である。
【図４】図３のＩＶ−ＩＶ線における断面図である。
【図５】図３のＶ−Ｖ線における断面図である。
【図６】抜け止め具の平面図である。
【図７】抜け止め具の底面図である。
【図８】フック台の平面図である。
【図９】フックの下端と係止杆を示す側面図である。
【図１０】フックの下端に係止杆を取り付けた状態示す側面図である。
【図１１】従来のフックの取付手段の一例を分解して示す断面図である。
【図１２】同上取付手段を示す断面図である。
【図１３】同上取付手段を拡大して示す断面図である。
【図１４】従来のフックの取付手段の別の一例を分解して示す断面図である。
【図１５】同上取付手段を示す断面図である。
【図１６】同上取付手段を拡大して示す断面図である。
【符号の説明】
１  フック台
３  円筒状部
５  係止舌片
５ａ  膨出部接触部
７  係止杆
９  膨出部
９ａ  係止舌片接触部
１０  吊下紐
１１  フック台
１３  円形透孔
１３ａ  膨出部接触部
１５  係止杆
１７  膨出部
１７ａ  円形透孔周縁接触部
１９  切り欠き
２１  フレーム
２３  ピンチ
２５  ヒンジ
２７  吊下紐
３１  フック台
３３  フック
３５  係止杆
３７  抜け止め具
４１  突出部
４３  取付部
４５  凹部
４７  係止突起
５１  貫通透孔
５３  係止溝
６１  挿通孔
６３  小径部
６５  大径部
６７  段部
６９  挿通孔
【図１】
0003850949.tif 000002
【図２】
0003850949.tif 000003
【図３】
0003850949.tif 000004
【図４】
0003850949.tif 000005
【図５】
0003850949.tif 000006
【図６】
0003850949.tif 000007
【図７】
0003850949.tif 000008
【図８】
0003850949.tif 000009
【図９】
0003850949.tif 000010
【図１０】
0003850949.tif 000011
【図１１】
0003850949.tif 000012
【図１２】
0003850949.tif 000013
【図１３】
0003850949.tif 000014
【図１４】
0003850949.tif 000015
【図１５】
0003850949.tif 000016
【図１６】
0003850949.tif 000017